(57)【要約】【課題】ＣＱＩ送信用リソースを適切に割り当てる。【解決手段】本発明に係る無線基地局ｅＮＢは、各移動局ＵＥに対して、ＣＱＩ送信用リソースとして割り当てる時間方向リソースと周波数方向リソースとコード方向リソースとを決定するように構成されているリソース割当部１１を具備し、リソース割当部１１は、ＣＱＩ送信用リソースとして割り当てる時間方向リソース及び周波数方向リソースを決定した後、ＣＱＩ送信用リソースとして割り当てるコード方向リソースを決定するように構成されている。【選択図】図６
2010232740.tif 000002
【特許請求の範囲】
【請求項１】
各移動局に対して、下りリンクにおける受信品質を通知するために用いるべき受信品質通知用リソースとして割り当てる時間方向リソースと周波数方向リソースとコード方向リソースとを決定するように構成されているリソース割当部を具備し、
前記リソース割当部は、前記受信品質通知用リソースとして割り当てる時間方向リソース及び周波数方向リソースを決定した後、該受信品質通知用リソースとして割り当てるコード方向リソースを決定するように構成されていることを特徴とする無線基地局。
【請求項２】
前記リソース割当部は、各周波数方向リソースにおけるコード方向リソースの使用状況に基づいて、前記受信品質通知用リソースとして割り当てる周波数方向リソースを決定するように構成されていることを特徴とする請求項１に記載の無線基地局。
【請求項３】
前記リソース割当部は、各時間方向リソース内において、使用中のコード方向リソースの数が少ない周波数方向リソースから順に、前記受信品質通知用リソースとして割り当てるように構成されていることを特徴とする請求項２に記載の無線基地局。
【請求項４】
前記リソース割当部は、各時間方向リソース内において、使用可能なコード方向リソースの数が多い周波数方向リソースから順に、前記受信品質通知用リソースとして割り当てるように構成されていることを特徴とする請求項２に記載の無線基地局。
【請求項５】
前記リソース割当部は、各時間方向リソース内において、コード方向リソースの使用率が小さい周波数方向リソースから順に、前記受信品質通知用リソースとして割り当てるように構成されていることを特徴とする請求項２に記載の無線基地局。
【請求項６】
前記リソース割当部は、各周波数方向リソースにおいて、解放された後に一定期間経過したコード方向リソースを、前記使用可能なコード方向リソースとするように構成されていることを特徴とする請求項３に記載の無線基地局。
【請求項７】
前記リソース割当部は、システム帯域幅内における内側の周波数帯域に属する周波数方向リソースから順に、前記受信品質通知用リソースとして割り当てるように構成されていることを特徴とする請求項１に記載の無線基地局。
【請求項８】
前記リソース割当部は、周波数方向リソースを、システム帯域幅内における内側の周波数帯域に属する内側帯域周波数方向リソースと、該システム帯域幅内における外側の周波数帯域に属する外側帯域周波数方向リソースとに分類し、前記上りリンクにおける伝搬損失に基づいて、前記受信品質通知用リソースとして、該内側帯域周波数方向リソース又は該外側帯域周波数方向リソースのいずれかを割り当てるように構成されていることを特徴とする請求項１に記載の無線基地局。
【請求項９】
前記リソース割当部は、各周波数方向リソースにおけるコード方向リソースを、間欠的に割り当てるように構成されていることを特徴とする請求項１に記載の無線基地局。
【請求項１０】
前記リソース割当部は、特定インデックスが付与されているコード方向リソースの割り当て位置を、他セルにおける該特定インデックスが付与されているコード方向リソースの割り当て位置からずらすように構成されていることを特徴とする請求項１に記載の無線基地局。
【請求項１１】
各移動局に対して、下りリンクにおける受信品質を通知するために用いるべき受信品質通知用リソースとして割り当てる時間方向リソースと周波数方向リソースとコード方向リソースとを決定する工程Ａと、
前記受信品質通知用リソースとして割り当てられた前記時間方向リソースと前記周波数方向リソースと前記コード方向リソースとを、各移動局に対して通知する工程Ｂとを有し、
前記工程Ａにおいて、前記受信品質通知用リソースとして割り当てる時間方向リソース及び周波数方向リソースを決定した後、該受信品質通知用リソースとして割り当てるコード方向リソースを決定することを特徴とする移動通信方法。
【発明の詳細な説明】
【技術分野】
【０００１】
本発明は、無線基地局及び移動通信方法に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、各移動局ＵＥは、ＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）を介して、無線基地局ｅＮＢに対して、かかる無線基地局ｅＮＢ配下のセル内で送信されている下りリンクにおける受信品質を対応するＣＱＩ（Ｃｈａｎｎｅｌ  Ｑｕａｌｉｔｙ  Ｉｎｄｉｃａｔｏｒ）を送信するように構成されている。
【先行技術文献】
【非特許文献】
【０００３】
【非特許文献１】３ＧＰＰ  ＴＳ３６.２１１  Ｖ８.５.０、「Ｐｈｙｓｉｃａｌ  Ｃａｈｅｎｎｅｌ  ａｎｄ  Ｍｏｄｕｌａｔｉｏｎ」、２００８年１１月
【非特許文献２】３ＧＰＰ  ＴＳ３６.２１３  Ｖ８.５.０、「Ｐｈｙｓｉｃａｌ  Ｌａｙｅｒ  Ｐｒｏｃｅｄｕｒｅ」、２００８年１１月
【発明の概要】
【発明が解決しようとする課題】
【０００４】
しかしながら、３ＧＰＰでは、各移動局ＵＥに対するＣＱＩ送信用リソースの割り当て方法について規定されていないため、上述の移動通信システムにおいて、ＣＱＩ送信用リソースが適切に割り当てられない場合があるという問題点があった。
【０００５】
そこで、本発明は、上述の課題に鑑みてなされたものであり、ＣＱＩ送信用リソースを適切に割り当てることができる無線基地局及び移動通信方法を提供することを目的とする。
【課題を解決するための手段】
【０００６】
本発明の第１の特徴は、無線基地局であって、各移動局に対して、下りリンクにおける受信品質を通知するために用いるべき受信品質通知用リソースとして割り当てる時間方向リソースと周波数方向リソースとコード方向リソースとを決定するように構成されているリソース割当部を具備し、前記リソース割当部は、前記受信品質通知用リソースとして割り当てるリソースブロックを決定した後、該受信品質通知用リソースとして割り当てる前記コード方向リソースを決定するように構成されており、前記リソースブロックは、所定数の時間方向リソースと所定数の周波数リソースとによって構成されていることを要旨とする。
【０００７】
本発明の第２の特徴は、移動通信方法であって、各移動局に対して、下りリンクにおける受信品質を通知するために用いるべき受信品質通知用リソースとして割り当てる時間方向リソースと周波数方向リソースとコード方向リソースとを決定する工程Ａと、前記受信品質通知用リソースとして割り当てられた前記時間方向リソースと前記周波数方向リソースと前記コード方向リソースとを、各移動局に対して通知する工程Ｂとを有し、前記工程Ａにおいて、前記受信品質通知用リソースとして割り当てるリソースブロックを決定した後、該受信品質通知用リソースとして割り当てる前記コード方向リソースを決定し、前記リソースブロックは、所定数の時間方向リソースと所定数の周波数リソースとによって構成されていることを要旨とする。
【発明の効果】
【０００８】
以上説明したように、本発明によれば、ＣＱＩ送信用リソースを適切に割り当てることができる無線基地局及び移動通信方法を提供することができる。
【図面の簡単な説明】
【０００９】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって割り当てられたＣＱＩを送信するサブフレームを指定する方法について説明するための図である。
【図４】本発明の第１の実施形態に係る無線基地局によるＰＵＣＣＨ用リソースの割り当て方法について説明するための図である。
【図５】本発明の第１の実施形態に係る無線基地局によって割り当てられたＰＵＣＣＨ用リソース内のリソースブロックについて説明するための図である。
【図６】本発明の第１の実施形態に係る無線基地局によって、ＣＱＩ、ＡＣＫ/ＮＡＣＫ及びＳｃｈｅｄｕｉｎｇ  Ｒｅｑｕｅｓｔを送信するために、ＰＵＣＣＨ用リソース内のリソースブロックを割り当てる方法について説明するための図である。
【図７】本発明の第１の実施形態に係る無線基地局によって、ＰＵＣＣＨ用リソース内のリソースブロックのうち、ＣＱＩを専用に送信するために割り当てられたリソースブロックについて説明するための図である。
【図８】本発明の第１の実施形態に係る無線基地局によって、ＰＵＣＣＨ用リソース内のリソースブロックのうち、ＣＱＩ、ＡＣＫ/ＮＡＣＫ及びＳｃｈｅｄｕｉｎｇ  Ｒｅｑｕｅｓｔを混在して送信するため割り当てられたリソースブロックについて説明するための図である。
【図９】本発明の第１の実施形態に係る無線基地局によって割り当てられたＰＵＣＣＨ用リソース内のリソースブロックに付与するインデックスについて説明するための図である。
【図１０】本発明の第１の実施形態に係る無線基地局によって、ＣＱＩを送信するために、ＰＵＣＣＨ用リソース内のリソースブロックを割り当てる方法について説明するための図である。
【図１１】本発明の第１の実施形態に係る移動通信システムのシステム帯域幅の両端において発生する不具合について説明するための図である。
【図１２】本発明の第１の実施形態に係る無線基地局によって、ＣＱＩを送信するために、ＰＵＣＣＨ用リソース内のリソースブロックを割り当てる方法について説明するための図である。
【図１３】本発明の第１の実施形態に係る無線基地局によって、ＣＱＩを送信するために、ＰＵＣＣＨ用リソース内のリソースブロックを割り当てる方法について説明するための図である。
【図１４】本発明の第１の実施形態に係る無線基地局によって、ＣＱＩを送信するために、ＰＵＣＣＨ用リソース内のコード方向リソースを割り当てる方法について説明するための図である。
【図１５】本発明の第１の実施形態に係る無線基地局によって、ＣＱＩを送信するために、ＰＵＣＣＨ用リソース内のリソースブロックを割り当てる方法について説明するための図である。
【図１６】本発明の第１の実施形態に係る無線基地局によるＣＱＩを送信するためのリソースを割り当てる方法について示すフローチャート図である。
【図１７】本発明の第１の実施形態に係る無線基地局によるＣＱＩを送信するためのリソースを割り当てる方法について示すフローチャート図である。
【図１８】本発明の第１の実施形態に係る無線基地局によるＣＱＩを送信するためのリソースを割り当てる方法について示すフローチャート図である。
【図１９】本発明の第１の実施形態に係る無線基地局によるＣＱＩを送信するためのリソースを割り当てる方法について示すフローチャート図である。
【発明を実施するための形態】
【００１０】
（本発明の第１の実施形態に係る移動通信システムの構成）
図１乃至図１５を参照して、本発明の第１の実施形態に係る移動通信システムの構成について説明する。
【００１１】
本実施形態に係る移動通信システムは、ＬＴＥ方式の移動通信システムであって、本実施形態に係る移動通信システムでは、図１に示すように、移動局ＵＥが、ＰＵＣＣＨを介して、無線基地局ｅＮＢに対して、ＣＱＩや、下りデータに対するＡＣＫ/ＮＡＣＫ（以下、Ａ/Ｎ）や、上りデータ送信についてのスケジューリングを要求するためのＳｃｈｅｄｕｌｉｎｇ  Ｒｅｑｕｅｓｔ（以下、ＳＲ）等を送信するように構成されている。
【００１２】
図２に示すように、無線基地局ｅＮＢは、リソース割当部１１と、通知部１２と、パスロス取得部１３とを具備している。
【００１３】
リソース割当部１１は、無線基地局ｅＮＢ配下の各セルにおいて、所定の物理チャネル用リソースを割り当てるように構成されている。
【００１４】
例えば、リソース割当部１１は、無線基地局ｅＮＢ配下の各セルにおいて、上り物理チャネル用リソースとして、ＰＵＣＣＨ用リソースや、ＰＵＳＣＨ（Ｐｈｙｓｉｃａｌ  Ｕｐｌｉｎｋ  Ｓｈａｒｅｄ  Ｃｈａｎｎｅｌ、物理上り共有チャネル）用リソース等を割り当てるように構成されている。
【００１５】
また、リソース割当部１１は、無線基地局ｅＮＢ配下の各セルにおいて、下り物理チャネル用リソースとして、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）用リソースや、ＰＤＳＣＨ（Ｐｈｙｓｉｃａｌ  Ｄｏｗｎｌｉｎｋ  Ｓｈａｒｅｄ  Ｃｈａｎｎｅｌ、物理下り共有チャネル）用リソース等を割り当てるように構成されている。
【００１６】
ここで、リソース割当部１１は、ＰＵＣＣＨ用リソースの中から、ＣＱＩ送信用リソース（下りリンクにおける受信品質を通知するために用いるべき受信品質通知用リソース）やＡ/Ｎ送信用リソースやＳＲ送信用リソースを割り当てるように構成されている。
【００１７】
なお、移動局ＵＥは、Ｄｏｗｎｌｉｎｋ  Ｒｅｆｅｒｅｎｃｅ  Ｓｉｇｎａｌ（ＲＳ）を用いて、下りリンクにおける受信品質（例えば、ＳＩＲ）を測定し、測定した受信品質に対応するＣＱＩを算出するように構成されている。
【００１８】
かかるＣＱＩには、システム帯域幅全体で測定されたＣＱＩである「Ｗｉｄｅｂａｎｄ  ＣＱＩ（以下、ＷＢ  ＣＱＩ）」、及び、システム帯域幅を複数の周波数帯域（サブバンド、Ｓｕｂｂａｎｄ）に分割し、分割されたサブバンドごとで測定された「Ｓｕｂｂａｎｄ  ＣＱＩ」が含まれる。
【００１９】
リソース割当部１１によるリソースの割り当て動作の具体例については後述する。
【００２０】
通知部１２は、無線基地局ｅＮＢ配下の各セルにおいて、リソース割当部１１によって割り当てられたリソースを通知するように構成されている。
【００２１】
具体的には、通知部１２は、ＲＲＣメッセージで、各移動局ＵＥに対して、ＣＱＩ送信用リソースやＡ/Ｎ送信用リソースやＳＲ送信用リソースを通知するように構成されている。
【００２２】
例えば、「ＷＢ  ＣＱＩ」送信用リソース（すなわち、サブフレーム）は、報告周期ＮＰ及びオフセットＮＯＦＦＳＥＴ，ＣＱＩによって特定されるため、通知部１２は、図３（ａ）に示す「ＩＣＱＩ/ＰＭＩ（ｃｑｉ-ｐｍｉ-ＣｏｎｆｉｇＩｎｄｅｘ）」を送信することによって、リソース割当部１１によって割り当てられた「ＷＢ  ＣＱＩ」送信用リソース（すなわち、サブフレーム）を通知するように構成されていてもよい。
【００２３】
ここで、移動局ＵＥは、「ＩＣＱＩ/ＰＭＩ」＝「５」を受信した場合、図３（ａ）に示すテーブルを参照し、「ＮＰ」＝「５」であり、「ＮＯＦＦＳＥＴ，ＣＱＩ」＝「３」であると判断し、図３（ｂ）において斜線が付与されているサブフレームで「ＷＢ  ＣＱＩ」を送信するように構成されている。
【００２４】
パスロス取得部１３は、上りリンクにおける伝搬損失（パスロス）を取得するように構成されている。
【００２５】
例えば、パスロス取得部１３は、移動局ＵＥから通知される「Ｐｏｗｅｒ  Ｈｅａｄｒｏｏｍ」に基づいて、上りリンクにおける伝搬損失（パスロス）を算出するように構成されていてもよい。ここで、「Ｐｏｗｅｒ  Ｈｅａｄｒｏｏｍ」は、移動局ＵＥにおいて、あとどのくらい送信電力に余裕があるかについて示す情報である。
【００２６】
以下、リソース割当部１１によるリソースの割り当て動作の具体例について説明する。
【００２７】
図４及び図５に示すように、リソース割当部１１は、システム帯域幅における両端のリソースブロックから順に、ＰＵＣＣＨ用リソースブロックとして割り当て、ＰＵＣＣＨ用リソースブロックとして割り当てられたリソースブロックの内側のリソースブロックを、ＰＵＳＣＨ用リソースブロックとして割り当てるように構成されている。
【００２８】
図４に示すように、各ＰＵＣＣＨ用リソースブロックでは、コード多重が行われるように構成されている。したがって、リソース割当部１１は、ＰＵＣＣＨ用リソースとして、時間方向リソースと周波数方向リソースとコード方向リソースとを割り当てるように構成されている。
【００２９】
ここで、時間方向リソースは、サブフレームであり、周波数方向リソースは、７ＯＦＤＭシンボルと１２サブキャリアとによって構成されるリソースブロックである。また、コード方向リソースは、「Ｃｙｃｌｉｃ  Ｓｈｉｆｔ」の関係にあり互いに直交する複数の系列（Ｃｙｃｌｉｃ  Ｓｅｑｕｅｎｃｅ、以下、ＣＳ）によって構成されている。
【００３０】
また、リソース割当部１１は、１つのサブフレーム内の前半部分（スロット）と後半部分（スロット）との間で、図４に示すような「Ｉｎｔｒａ-ｓｕｂｆｒａｍｅ  ｆｒｅｑｕｅｎｃｙ  ｈｏｐｐｉｎｇ」によって、ＰＵＣＣＨ用リソースを割り当てるように構成されている。
【００３１】
図５に示すように、ＰＵＣＣＨ用リソースブロックとなり得るリソースブロックには、システム帯域幅の両端から順にリソースブロック番号が付与されている。ここで、「ＮＲＢＵＬ」は、上りチャネル（例えば、ＰＵＣＣＨ及びＰＵＳＣＨ）用リソースブロックとして割り当て可能なリソースブロック数である。
【００３２】
図５に示すように、リソース割当部１１は、同一のリソースブロック番号が付与されている２個のリソースブロックを、同一のＰＵＣＣＨ用リソースブロックとして割り当てるように構成されている。
【００３３】
図６に示すように、リソース割当部１１は、ＰＵＣＣＨ用リソースブロックとして割り当てられているリソースブロックのうち、若いリソースブロック番号が付与されているものから順に、ＣＱＩ送信用リソースブロックとして割り当て、残りのリソースブロックを、Ａ/Ｎ送信用リソースブロック及びＳＲ送信用リソースブロックとして割り当てるように構成されている。
【００３４】
ここで、「ｐｕｓｃｈ-ＨｏｐｐｉｎｇＯｆｆｓｅｔ」は、ＰＵＣＣＨ用リソースブロックとして割り当て可能なリソースブロック数であり、「ＮＲＢ（２）」は、ＣＱＩ送信用リソースブロックとして割り当て可能なリソースブロック数である。
【００３５】
なお、図６に示すように、ＰＵＣＣＨ用リソースブロックの中には、ＣＱＩ送信用リソースブロックであり、Ａ/Ｎ送信用リソースブロックであり、かつ、ＳＲ送信用リソースブロックである「ＣＱＩ、Ａ/Ｎ、ＳＲ混在リソースブロック」が存在してもよい。
【００３６】
通知部１２は、無線基地局ｅＮＢ配下の各セルにおいて、共通の値として、「ｐｕｓｃｈ-ＨｏｐｐｉｎｇＯｆｆｓｅｔ」及び「ＮＲＢ（２）」を報知するように構成されていてもよい。
【００３７】
ここで、リソース割当部１１は、各移動局ＵＥに対して、ＰＵＣＣＨ用リソースブロックとして割り当てられているリソースブロックの中から、ＣＱＩ送信用リソースとして割り当てる周波数方向リソース（リソースブロック）及びコード方向リソース（ＣＳ）を決定するように構成されている。
【００３８】
図７に示すように、かかる１サブフレーム内においてＣＱＩ送信用リソースとして割り当て可能なコード方向リソース（ＣＳ）には、リソースインデックス（Ｒｅｓｏｕｒｃｅ  Ｉｎｄｅｘ）が付与されている。かかるリソースインデックスは、１サブフレーム内で、複数のリソースブロックを跨いで連続して付与されるように構成されている。
【００３９】
通知部１２は、各移動局ＵＥに対して、リソースインデックスを通知し、各移動局ＵＥは、通知されたリソースインデックスによって特定されるＣＱＩ送信用リソース（ＰＵＣＣＨ）を用いて、ＣＱＩを送信するように構成されている。
【００４０】
図７に示すように、１つの周波数方向リソース（リソースブロック）内で、１２個のコード方向リソース（ＣＳ）が多重可能である。図７の例では、リソースブロック＃１では、ＣＱＩ送信用リソースに付与されるリソースインデックスは「１２」から開始される。
【００４１】
また、ＣＱＩ、Ａ/Ｎ、ＳＲ混在リソースブロック＃ＮＲＢ（２）では、図８に示すように、ＣＱＩ送信用リソースとして割り当て可能なコード方向リソース（ＣＳ）と、Ａ/Ｎ送信用リソース及びＳＲ送信用リソースとして割り当て可能なコード方向リソース（ＣＳ）とが存在する。
【００４２】
ここで、「ＮＣＳ（１）」は、ＣＱＩ、Ａ/Ｎ、ＳＲ混在リソースブロックにおいて、Ａ/Ｎ送信用リソース及びＳＲ送信用リソースとして割り当て可能なコード方向リソース（ＣＳ）の数であり、Δｓｈｉｆｔの倍数である。
【００４３】
ＣＱＩ送信用リソースに付与されるリソースインデックスと、Ａ/Ｎ送信用リソース及びＳＲ送信用リソースに付与されるリソースインデックスとは、別々のものである。
【００４４】
図８の例では、Ａ/Ｎ送信用リソース及びＳＲ送信用リソースとして、１つの周波数方向リソース（リソースブロック）内で、４個のコード方向リソース（ＣＳ）が多重可能であり、かつ、１つのコード方向リソース（ＣＳ）内で、３個のＯＣ（直交コード）が多重可能である。
【００４５】
なお、ＣＱＩ送信用リソースとして割り当て可能なコード方向リソース（ＣＳ）と、Ａ/Ｎ送信用リソース及びＳＲ送信用リソースとして割り当て可能なコード方向リソース（ＣＳ）との間には、干渉を避けるために、ガード用コード方向リソース（ＣＳ）が設けられている。また、ＣＱＩ送信用リソースとして割り当て可能なコード方向リソース（ＣＳ）間に、かかるガード用コード方向リソース（ＣＳ）が設けられていてもよい。
【００４６】
このように、リソース割当部１１は、ＣＱＩ送信用リソースとして割り当てる時間方向リソース（サブフレーム）及び周波数方向リソース（リソースブロック）を決定した後、ＣＱＩ送信用リソースとして割り当てるコード方向リソース（ＣＳ）を最後に決定することによって、同一の周波数方向リソース（リソースブロック）内におけるＣＱＩ送信用リソースの割り当てを減らし、干渉の増大を極力少なく抑えることができる。
【００４７】
具体的には、リソース割当部１１は、各周波数方向リソース（リソースブロック）におけるコード方向リソース（ＣＳ）の使用状況に基づいて、ＣＱＩ送信用リソースとして割り当てる周波数方向リソース（リソースブロック）を決定するように構成されていてもよい。
【００４８】
例えば、リソース割当部１１は、各時間方向リソース（サブフレーム）内において、使用中のコード方向リソース（ＣＳ）の数が少ない周波数方向リソース（リソースブロック）から順に、ＣＱＩ送信用リソースとして割り当てるように構成されていてもよい。
【００４９】
また、リソース割当部１１は、各時間方向リソース（サブフレーム）内において、使用可能なコード方向リソース（ＣＳ）の数が多い周波数方向リソース（リソースブロック）から順に、ＣＱＩ送信用リソースとして割り当てるように構成されていてもよい。
【００５０】
また、リソース割当部１１は、各時間方向リソース（サブフレーム）内において、コード方向リソース（ＣＳ）の使用率が小さい周波数方向リソース（リソースブロック）から順に、ＣＱＩ送信用リソースとして割り当てるように構成されていてもよい。
【００５１】
ここで、コード方向リソース（ＣＳ）の使用率は、各周波数方向リソース（リソースブロック）におけるＣＱＩ送信用のコード方向リソース（ＣＳ）の数に対する使用中のコード方向リソース（ＣＳ）の数の比率である。
【００５２】
ここで、リソース割当部１１は、タイマによって、各周波数方向リソース（リソースブロック）内のコード方向リソース（ＣＳ）が解放されてから経過した期間を監視し、各周波数方向リソース（リソースブロック）において、解放された後に一定期間経過したコード方向リソース（ＣＳ）を、使用可能なコード方向リソース（ＣＳ）とするように構成されていてもよい。
【００５３】
例えば、リソース割当部１１は、ＣＱＩ送信用リソースとして割り当て可能な周波数方向リソース（リソースブロック）に対して、図９に示すように、時間方向、周波数方向の順に、インデックスを割り当てるように構成されている。
【００５４】
そして、リソース割当部１１は、各時間方向リソース（サブフレーム）内において、使用中のコード方向リソース（ＣＳ）の数が少ない（或いは、使用可能なコード方向リソース（ＣＳ）の数が多い、又は、コード方向リソース（ＣＳ）の使用率が小さい）周波数方向リソース（リソースブロック）から順に、ＣＱＩ送信用リソースとして割り当てるように構成されているが、複数の周波数方向リソース（リソースブロック）において、使用中のコード方向リソース（ＣＳ）の数（或いは、使用可能なコード方向リソースの数、又は、コード方向リソース（ＣＳ）の使用率）が同じであれば、インデックスが最も小さい周波数方向リソース（リソースブロック）を、ＣＱＩ送信用リソースとして割り当てるように構成されている。
【００５５】
また、図１０に示すように、リソース割当部１１は、システム帯域幅内における内側の周波数帯域に属する周波数方向リソース（リソースブロック）から順に、ＣＱＩ送信用リソースとして割り当てるように構成されていてもよい。
【００５６】
ここで、移動局ＵＥにおける送信フィルタの特性を考慮すると、周波数帯域によっては両端の帯域の信号が歪み、受信品質が劣化する可能性がある（図１１（ｂ）参照）。
【００５７】
例えば、上りリンクにおける伝搬損失によっては、図１１（ａ）に示すように、システムの周波数帯域が２ＧＨｚ帯である場合には、問題は発生しないが、図１１（ａ）に示すように、システムの周波数帯域が８００ＭＨｚ帯である場合には、移動局ＵＥの送信フィルタの影響で、移動局ＵＥからの送信信号が歪み、無線基地局ｅＮＢで十分な品質が得られない可能性がある。
【００５８】
したがって、図１２に示すように、リソース割当部１１は、周波数方向リソース（リソースブロック）を、システム帯域幅内における内側の周波数帯域に属する内側帯域リソースブロック（リソースブロック＃０乃至＃１９）と、システム帯域幅内における外側の周波数帯域に属する外側帯域リソースブロック（リソースブロック＃２０乃至＃３９）とに分類し、ＣＱＩ送信用リソースとして、内側帯域リソースブロック又は外側帯域リソースブロックのいずれかを割り当てるように構成されていてもよい。
【００５９】
すなわち、リソース割当部１１は、内側帯域リソースブロック内で、ＣＱＩ送信用リソースとして割り当て可能なコード方向リソース（ＣＳ）がなくなるまで、ＣＱＩ送信用リソースとして、内側帯域リソースブロック内のコード方向リソースを優先的に割り当て、その後、外側帯域リソースブロック内のコード方向リソースを割り当てるように構成されていてもよい。
【００６０】
かかる場合、図１２に示すように、リソース割当部１１は、内側の周波数帯域に属するサブキャリアを含む周波数方向リソース（リソースブロック）から順に、上述したインデックスを割り当てるように構成されている。
【００６１】
かかる構成によって、内側帯域リソースブロックを優先的に利用するため、移動局ＵＥの送信フィルタの両端帯域における信号歪みによる特性劣化を改善することができる。
【００６２】
また、図１３に示すように、リソース割当部１１は、上りリンクにおける伝搬損失に基づいて、ＣＱＩ送信用リソースとして、内側帯域リソースブロック又は外側帯域リソースブロックのいずれかを割り当てるように構成されていてもよい。
【００６３】
具体的には、リソース割当部１１は、上りリンクにおける伝搬損失が所定値よりも大きい場合に、ＣＱＩ送信用リソースとして、内側帯域リソースブロックを割り当て、上りリンクにおける伝搬損失が所定値よりも小さい場合に、ＣＱＩ送信用リソースとして、外側帯域リソースブロックを割り当てるように構成されていてもよい。
【００６４】
また、リソース割当部１１は、移動局ＵＥの送信フィルタで使用される周波数帯域に応じて、周波数方向に多重され得る外側帯域リソースブロックの数である「ＮＲＢＧＵＡＲＤ」を調整するように構成されていてもよい。
【００６５】
例えば、リソース割当部１１は、移動局ＵＥの送信フィルタで使用される周波数帯域が、両側帯域における信号歪みが生じない帯域（例えば、２ＧＨｚ帯）である場合、外側帯域リソースブロックの数を「０」としてもよい。
【００６６】
また、リソース割当部１１は、各周波数方向リソース（リソースブロック）におけるコード方向リソース（ＣＳ）を、間欠的に割り当てるように構成されていてもよい。
【００６７】
例えば、図１４に示すように、リソース割当部１１は、各周波数方向リソース（リソースブロック）において、ＣＱＩ送信用リソースとして割り当てるコード方向リソース（ＣＳ）がなるべく離れるように間引いて割り当てるように構成されている。
【００６８】
具体的には、図１４に示すように、リソース割当部１１は、ＣＱＩ送信用リソースとして割り当てるコード方向リソース（ＣＳ）を、ＣＳ＃１→ＣＳ＃２→ＣＳ＃３→ＣＳ＃４→ＣＳ＃５の順に、すなわち、コード方向リソース（ＣＳ）に付与されているインデックスの順に、ラウンドロビンで割り当てるように構成されている。
【００６９】
なお、図１４に示すように、リソース割当部１１は、各コード方向リソース（ＣＳ）の間に、上述のガード用コード方向リソース（ＣＳ）を設けるように構成されていてもよい。
【００７０】
また、リソース割当部１１は、特定インデックスが付与されているコード方向リソース（ＣＳ）の割り当て位置を、他セルにおける当該特定インデックスが付与されているコード方向リソース（ＣＳ）の割り当て位置からずらすように構成されていてもよい。
【００７１】
図１５に、ＣＱＩ、Ａ/Ｎ、ＳＲ混在リソースブロックにおけるコード方向リソース（ＣＳ）の割り当て方法の一例を示す。ここで、「ＮＣＳ（１）」は、１つの周波数方向リソース（ＣＱＩ、Ａ/Ｎ、ＳＲ混在リソースブロック）内で、Ａ/Ｎ送信用リソース及びＳＲ送信用リソースとして割り当て可能なコード方向リソース（ＣＳ）の数を示す。
【００７２】
（本発明の第１の実施形態に係る移動通信システムの動作）
以下、図１６乃至図１９を参照して、本実施形態に係る移動通信システムの動作について、具体的には、本実施形態に係る無線基地局ｅＮＢによるＣＱＩ送信用リソースの割り当て動作について説明する。
【００７３】
第１に、図１６を参照して、かかる割り当て動作の第１の例について説明する。図１６に示すように、ステップＳ１０１において、無線基地局ｅＮＢは、ＰＵＣＣＨ用リソース内で、ＣＱＩ送信用リソースとして割り当て可能な空きリソースが存在するか否かについて判定する。
【００７４】
かかる空きリソースが存在すると判定された場合、無線基地局ｅＮＢは、ステップＳ１０２の処理に進み、かかる空きリソースが存在しないと判定された場合、無線基地局ｅＮＢは、ＣＱＩ送信用リソースの割り当てに失敗する。
【００７５】
ステップＳ１０２において、無線基地局ｅＮＢは、ＣＱＩ送信用リソースとして割り当て可能な空きリソースを含む周波数方向リソース（リソースブロック）内で、使用中のコード方向リソース（ＣＳ）の最小値Ｎｍｉｎを求める。
【００７６】
無線基地局ｅＮＢは、ステップＳ１０３において、「ｋ＝０」と設定し、ステップＳ１０４において、「ｎ（ｋ）＞Ｎｍｉｎ」が成立するか否かについて判定する。ここで、「ｎ（ｋ）」は、リソースブロック＃ｋにおけるリソース使用量である。
【００７７】
無線基地局ｅＮＢは、「ｎ（ｋ）＞Ｎｍｉｎ」が成立すると判定した場合、ステップＳ１０５において、「ｋ」を１つだけインクリメントし、ステップＳ１０４の動作に戻る。
【００７８】
一方、無線基地局ｅＮＢは、「ｎ（ｋ）＞Ｎｍｉｎ」が成立しないと判定した場合、ステップＳ１０６において、かかるリソースブロック＃ｋを、ＣＱＩ送信用リソースとして割り当て、「ｎ（ｋ）」を１つだけインクリメントし、ステップＳ１０７において、「ｍＣＳ（ｋ）  ＝  （ｍＣＳ（ｋ）＋１）  ｍｏｄ  ＮＣＳ」によって「ｍＣＳ（ｋ）」を更新する。
【００７９】
ここで、「ｍＣＳ（ｋ）」は、リソースブロック＃ｋにおいて前回割り当てたコード方向リソース（ＣＳ）のリソースブロック内のインデックスであり、「ＮＣＳ」は、１つの周波数方向リソース（リソースブロック）内で使用可能な最大のコード方向リソース（ＣＳ）の数である。
【００８０】
ステップＳ１０８において、無線基地局ｅＮＢは、リソースブロック内のインデックスが「ｍＣＳ（ｋ）」であるコード方向リソース（ＣＳ）が空いているか否かについて判定する。
【００８１】
無線基地局ｅＮＢは、かかるコード方向リソース（ＣＳ）が空いていないと判定した場合、ステップＳ１０８の動作を繰り返し行い、かかるコード方向リソース（ＣＳ）が空いていると判定した場合、ステップＳ１０９において、かかるコード方向リソース（ＣＳ）を、ＣＱＩ送信用リソースとして割り当てる。
【００８２】
第２に、図１７を参照して、かかる割り当て動作の第２の例について説明する。図１７に示すように、ステップＳ２０１において、無線基地局ｅＮＢは、ＰＵＣＣＨ用リソース内で、ＣＱＩ送信用リソースとして割り当て可能な空きリソースが存在するか否かについて判定する。
【００８３】
かかる空きリソースが存在すると判定された場合、無線基地局ｅＮＢは、ステップＳ２０２の処理に進み、かかる空きリソースが存在しないと判定された場合、無線基地局ｅＮＢは、ＣＱＩ送信用リソースの割り当てに失敗する。
【００８４】
ステップＳ２０２において、無線基地局ｅＮＢは、ＣＱＩ送信用リソースとして割り当て可能な空きリソースを含む周波数方向リソース（リソースブロック）内で、使用可能なコード方向リソース（ＣＳ）の最大値Ｎｍａｘを求める。
【００８５】
無線基地局ｅＮＢは、ステップＳ２０３において、「ｋ＝０」と設定し、ステップＳ２０４において、「ｎｅ（ｋ）＜Ｎｍａｘ」が成立するか否かについて判定する。ここで、「ｎｅ（ｋ）」は、リソースブロック＃ｋにおけるリソース使用量である。
【００８６】
無線基地局ｅＮＢは、「ｎｅ（ｋ）＜Ｎｍａｘ」が成立すると判定した場合、ステップＳ２０５において、「ｋ」を１つだけインクリメントし、ステップＳ１０４の動作に戻る。
【００８７】
一方、無線基地局ｅＮＢは、「ｎｅ（ｋ）＜Ｎｍａｘ」が成立しないと判定した場合、ステップＳ２０６において、かかるリソースブロック＃ｋを、ＣＱＩ送信用リソースとして割り当て、「ｎｅ（ｋ）」を１つだけデクリメントし、ステップＳ２０７において、「ｍＣＳ（ｋ）  ＝  （ｍＣＳ（ｋ）＋１）  ｍｏｄ  ＮＣＳ」によって「ｍＣＳ（ｋ）」を更新する。
【００８８】
ここで、「ｍＣＳ（ｋ）」は、リソースブロック＃ｋにおいて前回割り当てたコード方向リソース（ＣＳ）のリソースブロック内のインデックスであり、「ＮＣＳ」は、１つの周波数方向リソース（リソースブロック）内で使用可能な最大のコード方向リソース（ＣＳ）の数である。
【００８９】
ステップＳ２０８において、無線基地局ｅＮＢは、リソースブロック内のインデックスが「ｍＣＳ（ｋ）」であるコード方向リソース（ＣＳ）が空いているか否かについて判定する。
【００９０】
無線基地局ｅＮＢは、かかるコード方向リソース（ＣＳ）が空いていないと判定した場合、ステップＳ２０８の動作を繰り返し行い、かかるコード方向リソース（ＣＳ）が空いていると判定した場合、ステップＳ２０９において、かかるコード方向リソース（ＣＳ）を、ＣＱＩ送信用リソースとして割り当てる。
【００９１】
第３に、図１８を参照して、かかる割り当て動作の第３の例について説明する。図１８に示すように、ステップＳ３０１において、無線基地局ｅＮＢは、ＰＵＣＣＨ用リソース内で、ＣＱＩ送信用リソースとして割り当て可能な空きリソースが存在するか否かについて判定する。
【００９２】
かかる空きリソースが存在すると判定された場合、無線基地局ｅＮＢは、ステップＳ３０２の処理に進み、かかる空きリソースが存在しないと判定された場合、無線基地局ｅＮＢは、ＣＱＩ送信用リソースの割り当てに失敗する。
【００９３】
ステップＳ３０２において、無線基地局ｅＮＢは、内側帯域リソースブロック内に、使用可能なコード方向リソース（ＣＳ）が存在するか否かについて判定する。
【００９４】
無線基地局ｅＮＢは、使用可能なコード方向リソース（ＣＳ）が存在すると判定した場合、ステップＳ３０３の処理に進み、使用可能なコード方向リソース（ＣＳ）が存在しないと判定した場合、ステップＳ３０７の処理に進む。
【００９５】
ステップＳ３０３において、無線基地局ｅＮＢは内側帯域リソースブロック内で、使用中のコード方向リソース（ＣＳ）の最小値Ｎｍｉｎを求める。
【００９６】
無線基地局ｅＮＢは、ステップＳ３０４において、「ｋ＝ＮＦ・ＮＲＢＧＵＡＲＤ」と設定し、ステップＳ３０５において、「ｎ（ｋ）＞Ｎｍｉｎ」が成立するか否かについて判定する。
【００９７】
ここで、「ｎ（ｋ）」は、リソースブロック＃ｋにおけるリソース使用量であり、「ＮＦ」は、１時間方向リソース（サブフレーム）内で時間方向に多重され得る周波数方向リソース（リソースブロック）の数であり、「ＮＲＢＧＵＡＲＤ」は、周波数方向に多重され得る外側帯域リソースブロックの数である。
【００９８】
無線基地局ｅＮＢは、「ｎ（ｋ）＞Ｎｍｉｎ」が成立すると判定した場合、ステップＳ３０６において、「ｋ」を１つだけインクリメントし、ステップＳ３０５の動作に戻る。
【００９９】
一方、無線基地局ｅＮＢは、「ｎ（ｋ）＞Ｎｍｉｎ」が成立しないと判定した場合、ステップＳ３１１において、かかるリソースブロック＃ｋを、ＣＱＩ送信用リソースとして割り当て、「ｎ（ｋ）」を１つだけインクリメントする。
【０１００】
ステップＳ３０７において、無線基地局ｅＮＢは外側帯域リソースブロック内で、使用中のコード方向リソース（ＣＳ）の最小値Ｎｍｉｎを求める。
【０１０１】
無線基地局ｅＮＢは、ステップＳ３０８において、「ｋ＝０」と設定し、ステップＳ３０９において、「ｎ（ｋ）＞Ｎｍｉｎ」が成立するか否かについて判定する。
【０１０２】
無線基地局ｅＮＢは、「ｎ（ｋ）＞Ｎｍｉｎ」が成立すると判定した場合、ステップＳ３１０において、「ｋ」を１つだけインクリメントし、ステップＳ３０９の動作に戻る。
【０１０３】
一方、無線基地局ｅＮＢは、「ｎ（ｋ）＞Ｎｍｉｎ」が成立しないと判定した場合、ステップＳ３１１において、かかるリソースブロック＃ｋを、ＣＱＩ送信用リソースとして割り当て、「ｎ（ｋ）」を１つだけインクリメントする。
【０１０４】
無線基地局ｅＮＢは、ステップＳ３１２において、「ｍＣＳ（ｋ）  ＝  （ｍＣＳ（ｋ）＋１）  ｍｏｄ  ＮＣＳ」によって「ｍＣＳ（ｋ）」を更新する。
【０１０５】
ここで、「ｍＣＳ（ｋ）」は、リソースブロック＃ｋにおいて前回割り当てたコード方向リソース（ＣＳ）のリソースブロック内のインデックスであり、「ＮＣＳ」は、１つのリソースブロック内で使用可能な最大のＣＳの数である。
【０１０６】
ステップＳ３１３において、無線基地局ｅＮＢは、リソースブロック内のインデックスが「ｍＣＳ（ｋ）」であるコード方向リソース（ＣＳ）が空いているか否かについて判定する。
【０１０７】
無線基地局ｅＮＢは、かかるコード方向リソース（ＣＳ）が空いていないと判定した場合、ステップＳ３１２の動作を繰り返し行い、かかるコード方向リソース（ＣＳ）が空いていると判定した場合、ステップＳ３１４において、かかるコード方向リソース（ＣＳ）を、ＣＱＩ送信用リソースとして割り当てる。
【０１０８】
第４に、図１９を参照して、かかる割り当て動作の第４の例について説明する。図１９に示すように、ステップＳ４０１において、無線基地局ｅＮＢは、ＰＵＣＣＨ用リソース内で、ＣＱＩ送信用リソースとして割り当て可能な空きリソースが存在するか否かについて判定する。
【０１０９】
かかる空きリソースが存在すると判定された場合、無線基地局ｅＮＢは、ステップＳ４０２の処理に進み、かかる空きリソースが存在しないと判定された場合、無線基地局ｅＮＢは、ＣＱＩ送信用リソースの割り当てに失敗する。
【０１１０】
ステップＳ４０２において、無線基地局ｅＮＢは、上りリンクにおける伝搬損失が閾値よりも大きいか否かについて判定する。
【０１１１】
無線基地局ｅＮＢは、上りリンクにおける伝搬損失が閾値よりも大きいと判定した場合には、本動作は、ステップＳ４０３の処理に進み、それ以外の場合には、本動作は、ステップＳ４０８の処理に進む。
【０１１２】
ステップＳ４０３において、無線基地局ｅＮＢは、内側帯域リソースブロック内に、使用可能なコード方向リソース（ＣＳ）が存在するか否かについて判定する。
【０１１３】
無線基地局ｅＮＢは、内側帯域リソースブロック内に、使用可能なコード方向リソース（ＣＳ）が存在すると判定した場合、ステップＳ４０４の処理に進み、使用可能なコード方向リソース（ＣＳ）が存在しないと判定した場合、ステップＳ４０９の処理に進む。
【０１１４】
一方、ステップＳ４０８において、無線基地局ｅＮＢは、外側帯域リソースブロック内に、使用可能なコード方向リソース（ＣＳ）が存在するか否かについて判定する。
【０１１５】
無線基地局ｅＮＢは、外側帯域リソースブロック内に、使用可能なコード方向リソース（ＣＳ）が存在すると判定した場合、ステップＳ４０９の処理に進み、使用可能なコード方向リソース（ＣＳ）が存在しないと判定した場合、ステップＳ４０４の処理に進む。
【０１１６】
以降、ステップＳ４０４からＳ４０７の処理は、図１８に示すステップＳ３０３からＳ３０６の処理と同一であり、ステップＳ４０９からＳ４１２の処理は、図１８に示すステップＳ３０７からＳ３１０の処理と同一であり、ステップＳ４１３からＳ４１６の処理は、図１８に示すステップＳ３１１からＳ３１４の処理と同一であるため、説明を省略する。
【０１１７】
（本発明の第１の実施形態に係る移動通信システムの作用・効果）
本発明の第１の実施形態に係る移動通信システムによれば、無線基地局ｅＮＢのリソース割当部１１が、ＣＱＩ送信用リソースとして割り当てる時間方向リソース（サブフレーム）及び周波数方向リソース（リソースブロック）を決定した後、ＣＱＩ送信用リソースとして割り当てるコード方向リソース（ＣＳ）を最後に決定するように構成されているため、同一の周波数方向リソース（リソースブロック）内におけるＣＱＩ送信用リソースの割り当てを減らし、干渉の増大を極力少なく抑えることができる。
【０１１８】
また、本発明の第１の実施形態に係る移動通信システムによれば、内側帯域リソースブロックを優先的に利用するため、移動局ＵＥの送信フィルタの両端帯域における信号歪みによる特性劣化を改善することができる。
【０１１９】
さらに、本発明の第１の実施形態に係る移動通信システムによれば、上りリンクにおける伝搬損失に応じて、内側帯域リソースブロックを優先的に利用するか、或いは、外側帯域リソースブロックを優先的に利用するかについて切り替えることができるため、特定の周波数方向リソース（リソースブロック）において、ＣＱＩ送信用リソースの割り当てが集中するという事態を回避して、干渉の増大を極力少なく抑えることができ、かつ、移動局ＵＥの送信フィルタの両端帯域における信号歪みによる特性劣化を改善することができる。
【０１２０】
以上に述べた本実施形態の特徴は、以下のように表現されていてもよい。
【０１２１】
本実施形態の第１の特徴は、無線基地局ｅＮＢであって、各移動局ＵＥに対して、ＣＱＩを送信するために用いるべきＣＱＩ送信用リソース（受信品質通知用リソース）として割り当てる時間方向リソース（サブフレーム）と周波数方向リソース（リソースブロック）とコード方向リソース（ＣＳ）とを決定するように構成されているリソース割当部１１を具備し、リソース割当部１１は、ＣＱＩ送信用リソースとして割り当てる時間方向リソース（サブフレーム）及び周波数方向リソース（リソースブロック）を決定した後、ＣＱＩ送信用リソースとして割り当てるコード方向リソース（ＣＳ）を決定するように構成されていることを要旨とする。
【０１２２】
本実施形態の第１の特徴において、リソース割当部１１は、各周波数方向リソース（リソースブロック）におけるコード方向リソース（ＣＳ）の使用状況に基づいて、ＣＱＩ送信用リソースとして割り当てる周波数方向リソース（リソースブロック）を決定するように構成されていてもよい。
【０１２３】
本実施形態の第１の特徴において、リソース割当部１１は、各時間方向リソース（サブフレーム）内において、使用中のコード方向リソース（ＣＳ）の数が少ない周波数方向リソース（リソースブロック）から順に、ＣＱＩ送信用リソースとして割り当てるように構成されていてもよい。
【０１２４】
本実施形態の第１の特徴において、リソース割当部１１は、各時間方向リソース（サブフレーム）内において、使用可能なコード方向リソース（ＣＳ）の数が多い周波数方向リソース（リソースブロック）から順に、ＣＱＩ送信用リソースとして割り当てるように構成されていてもよい。
【０１２５】
本実施形態の第１の特徴において、リソース割当部１１は、各時間方向リソース（サブフレーム）内において、コード方向リソース（ＣＳ）の使用率が小さい周波数方向リソース（リソースブロック）から順に、ＣＱＩ送信用リソースとして割り当てるように構成されていてもよい。
【０１２６】
本実施形態の第１の特徴において、リソース割当部１１は、各周波数方向リソース（リソースブロック）において、解放された後に一定期間経過したコード方向リソース（ＣＳ）を、使用可能なコード方向リソース（ＣＳ）とするように構成されていてもよい。
【０１２７】
本実施形態の第１の特徴において、リソース割当部１１は、システム帯域幅内における内側の周波数帯域に属する周波数方向リソース（リソースブロック）から順に、ＣＱＩ送信用リソースとして割り当てるように構成されていてもよい。
【０１２８】
本実施形態の第１の特徴において、リソース割当部１１は、リソースブロックを、システム帯域幅内における内側の周波数帯域に属する内側帯域周波数方向リソース（内側帯域リソースブロック）と、システム帯域幅内における外側の周波数帯域に属する外側帯域周波数方向リソース（外側帯域リソースブロック）とに分類し、上りリンクにおける伝搬損失に基づいて、ＣＱＩ送信用リソースとして、内側帯域周波数方向リソース（内側帯域リソースブロック）又は外側帯域周波数方向リソース（外側帯域リソースブロック）のいずれかを割り当てるように構成されていてもよい。
【０１２９】
本実施形態の第１の特徴において、リソース割当部１１は、各周波数方向リソース（リソースブロック）におけるコード方向リソース（ＣＳ）を、間欠的に割り当てるように構成されていてもよい。
【０１３０】
本実施形態の第１の特徴において、リソース割当部１１は、特定インデックスが付与されているコード方向リソース（ＣＳ）の割り当て位置を、他セルにおける当該特定インデックスが付与されているコード方向リソース（ＣＳ）の割り当て位置からずらすように構成されていてもよい。
【０１３１】
本実施形態の第２の特徴は、移動通信方法であって、各移動局ＵＥに対して、ＣＱＩを送信するために用いるべきＣＱＩ送信用リソースとして割り当てる時間方向リソース（サブフレーム）と周波数方向リソース（リソースブロック）とコード方向リソース（ＣＳ）とを決定する工程Ａと、ＣＱＩ送信用リソースとして割り当てられた時間方向リソース（サブフレーム）と周波数方向リソース（リソースブロック）とコード方向リソース（ＣＳ）とを各移動局ＵＥに対して通知する工程Ｂとを有し、工程Ａにおいて、ＣＱＩ送信用リソースとして割り当てる時間方向リソース（サブフレーム）及び周波数方向リソース（リソースブロック）を決定した後、ＣＱＩ送信用リソースとして割り当てるコード方向リソース（ＣＳ）を決定することを要旨とする。
【０１３２】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１３３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１３５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１３６】
ＵＥ…移動局
ｅＮＢ…無線基地局
１１…リソース割当部
１２…通知部
１３…パスロス取得部
【図１】
2010232740.tif 000003
【図２】
2010232740.tif 000004
【図３】
2010232740.tif 000005
【図４】
2010232740.tif 000006
【図５】
2010232740.tif 000007
【図６】
2010232740.tif 000008
【図７】
2010232740.tif 000009
【図８】
2010232740.tif 000010
【図９】
2010232740.tif 000011
【図１０】
2010232740.tif 000012
【図１１】
2010232740.tif 000013
【図１２】
2010232740.tif 000014
【図１３】
2010232740.tif 000015
【図１４】
2010232740.tif 000016
【図１５】
2010232740.tif 000017
【図１６】
2010232740.tif 000018
【図１７】
2010232740.tif 000019
【図１８】
2010232740.tif 000020
【図１９】
2010232740.tif 000021